(57)【要約】【課題】  地震発生時等において大画面を有したプラズマテレビや液晶テレビ等の薄型テレビの転倒、特に前方への転倒を確実に防止するための、薄型テレビ用転倒防止具を得る。【解決手段】  薄型テレビの背面にある壁掛け金具取付けネジ部にアイボルトを螺着すると共に、該薄型テレビの後面の壁又は当該薄型テレビを載せたテレビ台に半円状の保持体を備えた固定金具を固定し、前記アイボルトと固定金具とを先端側にフックを備えたワイヤにて張架することにより転倒防止を図る構造とする。【選択図】図１
0003120428.tif 000002
【実用新案登録請求の範囲】
【請求項１】
薄型テレビの背面にある壁掛け金具取付けネジ部にアイボルトを螺着すると共に、該薄型テレビの後面の壁又は当該薄型テレビを載せたテレビ台に半円状の保持体を備えた固定金具を固定し、前記アイボルトと固定金具とを先端側にフックを備えたワイヤにて張架することにより転倒防止を図る構造としたことを特徴とする、薄型テレビ用転倒防止具。
【考案の詳細な説明】
【技術分野】
【０００１】  本考案は、地震発生時等において大画面を有したプラズマテレビや液晶テレビ等の薄型テレビの転倒を防止するための、薄型テレビ用転倒防止具に関するものである。
【背景技術】
【０００２】  従来、地震発生時等においてテレビがテレビ台より転倒するのを防止するための転倒防止具として、例えばテレビとテレビ台をベルトで締着する方法や、本願出願人による登録実用新案第３０９８５７３号の「テレビ用転倒防止具」に記載されているように、テレビとテレビ台及び当該テレビ台より広い底面積を有した転倒防止具の外周部をベルトで締着することにより転倒防止を図る転倒防止具が提案され、且つ商品化されている。【０００３】  しかしながら、近年におけるテレビの形状は、テレビ放送のデジタル化やハイビジョン化に伴う高画質高細精化により、ブラウン管テレビから大画面を有したプラズマテレビや液晶テレビ等の薄型テレビに移行しつつある。該薄型テレビの設置方法として、専用取付け台を取付けて畳やフローリング等の上に置いたり、専用スタンドを取付けてローボード等の上に載せている。【０００４】
【特許文献１】登録実用新案第３０９８５７３号
【考案の開示】
【考案が解決しようとする課題】
【０００５】  上記薄型テレビの底面積は、従来のブラウン管テレビの底面積に比べ非常に狭いため、専用取付け台や専用スタンドに取付けても重心が高くなるため、転倒し易いという問題点があった。また、地震発生時等における薄型テレビの転倒方向として、視聴者側すなわち前方に転倒することが危惧されるため、従来のテレビとテレビ台の外周部をベルトで締着する方法では転倒防止を図ることができないという問題点があった。また、薄型テレビの特徴である奥行の短さを活かすべく、登録実用新案第３０９８５７３号公報に記載された底面積の広い転倒防止具を取付けることもできないという問題点もあった。【０００６】  本考案は、上記問題点を解決するために成されたものであり、地震発生時等において大画面を有したプラズマテレビや液晶テレビ等の薄型テレビの転倒、特に前方への転倒を確実に防止するための、薄型テレビ用転倒防止具を提供することを目的とする。
【課題を解決するための手段】
【０００７】  上記課題を解決するため、本考案の薄型テレビ用転倒防止具においては、薄型テレビの背面にある壁掛け金具取付けネジ部にアイボルトを螺着すると共に、該薄型テレビの後面の壁又は当該薄型テレビを載せたテレビ台に半円状の保持体を備えた固定金具を固定し、前記アイボルトと固定金具とを先端側にフックを備えたワイヤにて張架することにより転倒防止を図る構造とする。
【考案の効果】
【０００８】  本考案の薄型テレビ用転倒防止具を用いて大画面を有したプラズマテレビや液晶テレビ等の薄型テレビの転倒防止を図るようにすれば、該薄型テレビが壁又はテレビ台とワイヤにより張架されているため、視聴者側すなわち前方への転倒を確実に防止することができるという効果を奏する。また、薄型テレビに予め用意された壁掛け金具取付けネジ部にフックを掛着するためのアイボルトを螺着するため、薄型テレビ自体を加工することがなく美観を損ねることがないという効果も奏する。更には、専用取付け台や専用スタンドの底面部に粘着力の大きなゲル状粘着マットを敷設することにより当該薄型テレビの底部が前後方向に滑ることによる転倒も確実に防止することができる。
【考案を実施するための最良の形態】
【０００９】  本考案を実施するための最良の形態を図を用いて説明する。【００１０】  図１は本考案の薄型テレビ用転倒防止具の構成図であり、薄型テレビの背面にある壁掛け金具取付けネジ部（図示せず）にアイボルト１２のネジ部１３をねじ込んで螺着する。また、該薄型テレビの後面の壁１４又は当該薄型テレビを載せたテレビ台に半円状の保持体４を備えた固定金具１を木ネジ５により固定し、前記アイボルト１２と固定金具１とを先端側にフック９を備えたワイヤ６にて張架する。【００１１】  図２は本考案の薄型テレビ用転倒防止具で用いる固定金具の外形図であり、（ａ）は正面図，（ｂ）は側面図である。該図に示すように、上記固定金具１は、菱形状の台座２にワイヤ６の先端部の輪部８を保持するための半円状の保持体４を固着し、更に該台座２を壁１４等に木ネジ５にて固定するためのネジ穴３を穿孔して構成する。【００１２】  また、上記フック９は、先端部にアイボルト１２を掛着するための係止体１０と、後端部にワイヤ６の先端部の輪部８を保持するための保持穴１２を備えて構成する。【００１３】  また、ワイヤ６の長さ調整は、輪部８にあるオーバルスリーブ７にて行う。
【実施例１】
【００１４】  図３は本考案の薄型テレビ用転倒防止具における第一実施例の固定方法を示した側面図であり、薄型テレビ１５を壁１４に固定する方法を示している。【００１５】  まず、薄型テレビ１５の背面にある壁掛け金具取付けネジ部（図示せず）にアイボルト１２を螺着する。次に、固定金具１を壁１４に木ネジ５にて固定する。なお、該固定金具１の固定位置は、前記アイボルト１２より上部側にするのが好ましい。【００１６】  次に、上記アイボルト１２にワイヤ６を取付けたフック９を掛着し、更に前記ワイヤ６の先端部を上記固定金具１の保持体４に掛着し、オーバルスリーブ７にて長さ調節を行いながら輪部８を形成して貼架する。以上により、薄型テレビ１５を壁１４と固定することができ、転倒防止を図ることができる。【００１７】  なお、テレビ台１７と専用取付け台１６の底面部との間に粘着力の大きなゲル状粘着マット１８を敷設することにより当該薄型テレビ１５の底部が前後方向に滑ることによる転倒も確実に防止することができる。
【実施例２】
【００１８】  図４は本考案の薄型テレビ用転倒防止具における第二実施例の固定方法を示した側面図であり、薄型テレビ１５をテレビ台１７に固定する方法を示している。【００１９】  まず、薄型テレビ１５の背面にある壁掛け金具取付けネジ部（図示せず）にアイボルト１２を螺着する。次に、固定金具１をテレビ台１７に木ネジ５にて固定する。なお、該固定金具１の固定位置は、できるだけ後部側にするのが好ましい。【００２０】  次に、上記アイボルト１２にワイヤ６を取付けたフック９を掛着し、更に前記ワイヤ６の先端部を上記固定金具１の保持体４に掛着し、オーバルスリーブ７にて長さ調節を行いながら輪部８を形成して貼架する。以上により、薄型テレビ１５をテレビ台１７と固定することができ、転倒防止を図ることができる。【００２１】  なお、テレビ台１７と専用取付け台１６の底面部との間に粘着力の大きなゲル状粘着マット１８を敷設することにより当該薄型テレビ１５の底部が前後方向に滑ることによる転倒も確実に防止することができる。
【図面の簡単な説明】
【００２２】
【図１】本考案の薄型テレビ用転倒防止具の構成図である。
【図２】本考案の薄型テレビ用転倒防止具で用いる固定金具の外形図である。
【図３】本考案の薄型テレビ用転倒防止具における第一実施例の固定方法を示した側面図である。
【図４】本考案の薄型テレビ用転倒防止具における第二実施例の固定方法を示した側面図である。
【符号の説明】
【００２３】    １  固定金具
２  台座
３  ネジ穴
４  保持体
５  木ネジ
６  ワイヤ
７  オーバルスリーブ
８  輪部
９  フック
１０  係止体
１１  保持孔
１２  アイボルト
１３  ネジ部
１４  壁
１５  薄型テレビ
１６  専用取付け台
１７  テレビ台
１８  ゲル状粘着マット
【図１】
0003120428.tif 000003
【図２】
0003120428.tif 000004
【図３】
0003120428.tif 000005
【図４】
0003120428.tif 000006